(57)【要約】【課題】複数のページ画像が順に印刷されて排出された複数の印刷媒体を再び給紙するときのユーザの操作を、印刷順序を変えずに印刷する場合よりも簡便にすることが可能な印刷制御装置及びプログラムを提供する。【解決手段】印刷制御装置は、複数の印刷媒体に対して、複数のページ画像を、先頭のページ画像から最終のページ画像に向かう第１の順序、及び最終のページ画像から先頭のページ画像に向かう第２の順序のうちいずれか一方の順序で印刷する第１の印刷指示手段と、複数の印刷媒体の面のうち印刷が行われた面を上向きにして印刷装置の排出先に排出するよう指示する排出指示手段と、排出先に上向きに排出された状態で印刷装置の給紙先に給紙された複数の印刷媒体に、第１の順序及び第２の順序のうち他方の順序で複数のページ画像をさらに印刷するよう指示する第２の印刷指示手段とを備える。【選択図】図１
2019217659.tif 000002
【特許請求の範囲】
【請求項１】
複数の印刷媒体に対して、複数のページ画像を、先頭のページ画像から最終のページ画像に向かう第１の順序、及び前記最終のページ画像から前記先頭のページ画像に向かう第２の順序のうちいずれか一方の順序で印刷する第１の印刷指示手段と、
前記複数の印刷媒体の面のうち印刷が行われた面を上向きにして印刷装置の排出先に排出するよう指示する排出指示手段と、
前記排出先に上向きに排出された状態で前記印刷装置の給紙先に給紙された前記複数の印刷媒体に、前記第１の順序及び第２の順序のうち他方の順序で前記複数のページ画像をさらに印刷するよう指示する第２の印刷指示手段と、
を備える印刷制御装置。
【請求項２】
前記第１の印刷指示手段は、前記複数の印刷媒体の下地の色に応じて予め定められた特定の色で前記複数のページ画像を前記複数の印刷媒体に対応付けて印刷する第１の印刷をするよう指示する、
請求項１に記載の印刷制御装置。
【請求項３】
前記第２の印刷指示手段は、前記第１の印刷、又は、前記複数のページ画像に応じた複数の色で前記複数のページ画像を印刷する第２の印刷をするよう指示する、
請求項２に記載の印刷制御装置。
【請求項４】
前記第２の印刷指示手段に対して、前記第１の印刷から前記第２の印刷に切り替えるよう指示する切替指示手段をさらに備える、
請求項３に記載の印刷制御装置。
【請求項５】
前記切替指示手段を表示するよう制御する表示制御手段をさらに備える、
請求項４に記載の印刷制御装置。
【請求項６】
前記第１の印刷を行う回数を指定する第１の設定手段と、
前記第２の印刷が行われた前記複数の印刷媒体を、おもて面を上向きにして排出するか、うら面を上向きにして排出するかを指定する第２の設定手段と、
をさらに備える、
請求項３から５のいずれか１項に記載の印刷制御装置。
【請求項７】
前記第１の印刷指示手段は、前記第１の設定手段により指定された前記第１の印刷を行う回数と、前記第２の設定手段により指定された前記第２の印刷が行われた前記複数の印刷媒体の排出面の方向とに応じて、１回目の前記第１の印刷を前記第１の順序で行うか、前記第２の順序で行うかを選択する、
請求項６に記載の印刷制御装置。
【請求項８】
前記第２の印刷指示手段が前記第２の順序で前記第１の印刷が行われた前記複数の印刷媒体に対して前記複数のページ画像を前記第１の順序で前記第２の印刷を行うよう指示した場合に、前記排出指示手段は、前記第２の印刷が行われた前記印刷媒体を印刷が行われていない面を上向きにして排出するようさらに指示する、
請求項３から７のいずれか１項に記載の印刷制御装置。
【請求項９】
前記複数のページ画像を前記複数の印刷媒体の両面に対応付けて印刷する場合に、
前記排出指示手段は、印刷が行われた前記複数の印刷媒体のおもて面とうら面とを反転して排出するよう指示する、
請求項１から請求項７のいずれか１項に記載の印刷制御装置。
【請求項１０】
前記複数のページ画像の数が奇数の場合に、前記複数のページ画像内の予め定められた位置に空白のページ画像を追加する追加手段をさらに備える、
請求項９に記載の印刷制御装置。
【請求項１１】
前記追加手段は、前記第１の印刷指示手段又は前記第２の印刷指示手段により前記第１の順序で印刷が指示される場合に、前記最終のページ画像の後に前記空白のページ画像を挿入するとともに、前記第１の印刷指示手段又は前記第２の印刷指示手段により前記第２の順序で印刷が指示される場合に、前記先頭のページ画像の前に前記空白のページ画像を追加する、
請求項１０に記載の印刷制御装置。
【請求項１２】
コンピュータを、
複数の印刷媒体に対して、複数のページ画像を、先頭のページ画像から最終のページ画像に向かう第１の順序、及び前記最終のページ画像から前記先頭のページ画像に向かう第２の順序のうちいずれか一方の順序で印刷する第１の印刷指示手段と、
前記複数の印刷媒体の面のうち印刷が行われた面を上向きにして印刷装置の排出先に排出するよう指示する排出指示手段と、
前記排出先に上向きに排出された状態で前記印刷装置の給紙先に給紙された前記複数の印刷媒体に、前記第１の順序及び第２の順序のうち他方の順序で前記複数のページ画像をさらに印刷するよう指示する第２の印刷指示手段、
として機能させるためのプログラム。
【発明の詳細な説明】
【技術分野】
【０００１】
本発明は、印刷制御装置及びプログラムに関する。
【背景技術】
【０００２】
近年、印刷ミスを生ずることがなく、追い刷り用紙上に正しい画像を形成する印刷制御装置が提案されている（例えば、特許文献１参照。）。
【０００３】
特許文献１に記載された印刷制御装置は、追い刷り用紙上に画像を形成する画像形成部と、追い刷り用紙上の画像を読み取る読取部と、読取部の読取により得られた読取画像データを保存する記憶部と、読取画像データを送信する通信部とを有する。
【先行技術文献】
【特許文献】
【０００４】
【特許文献１】特開２０１２−１０８８２７号公報
【発明の概要】
【発明が解決しようとする課題】
【０００５】
本発明の課題は、複数のページ画像が順に印刷されて排出された複数の印刷媒体を再び給紙するときのユーザの操作を、印刷順序を変えずに印刷する場合よりも簡便にすることが可能な印刷制御装置及びプログラムを提供することにある。
【課題を解決するための手段】
【０００６】
［１］複数の印刷媒体に対して、複数のページ画像を、先頭のページ画像から最終のページ画像に向かう第１の順序、及び前記最終のページ画像から前記先頭のページ画像に向かう第２の順序のうちいずれか一方の順序で印刷する第１の印刷指示手段と、
前記複数の印刷媒体の面のうち印刷が行われた面を上向きにして印刷装置の排出先に排出するよう指示する排出指示手段と、
前記排出先に上向きに排出された状態で前記印刷装置の給紙先に給紙された前記複数の印刷媒体に、前記第１の順序及び第２の順序のうち他方の順序で前記複数のページ画像をさらに印刷するよう指示する第２の印刷指示手段と、
を備える印刷制御装置。
［２］前記第１の印刷指示手段は、前記複数の印刷媒体の下地の色に応じて予め定められた特定の色で前記複数のページ画像を前記複数の印刷媒体に対応付けて印刷する第１の印刷をするよう指示する、
前記［１］に記載の印刷制御装置。
［３］前記第２の印刷指示手段は、前記第１の印刷、又は、前記複数のページ画像に応じた複数の色で前記複数のページ画像を印刷する第２の印刷をするよう指示する、
前記［２］に記載の印刷制御装置。
［４］前記第２の印刷指示手段に対して、前記第１の印刷から前記第２の印刷に切り替えるよう指示する切替指示手段をさらに備える、
前記［３］に記載の印刷制御装置。
［５］前記切替指示手段を表示するよう制御する表示制御手段をさらに備える、
前記［４］に記載の印刷制御装置。
［６］前記第１の印刷を行う回数を指定する第１の設定手段と、
前記第２の印刷が行われた前記複数の印刷媒体を、おもて面を上向きにして排出するか、うら面を上向きにして排出するかを指定する第２の設定手段と、
をさらに備える、
前記［３］から［５］のいずれか１つに記載の印刷制御装置。
［７］前記第１の印刷指示手段は、前記第１の設定手段により指定された前記第１の印刷を行う回数と、前記第２の設定手段により指定された前記第２の印刷が行われた前記複数の印刷媒体の排出面の方向とに応じて、１回目の前記第１の印刷を前記第１の順序で行うか、前記第２の順序で行うかを選択する、
前記［６］に記載の印刷制御装置。
［８］前記第２の印刷指示手段が前記第２の順序で前記第１の印刷が行われた前記複数の印刷媒体に対して前記複数のページ画像を前記第１の順序で前記第２の印刷を行うよう指示した場合に、前記排出指示手段は、前記第２の印刷が行われた前記印刷媒体を印刷が行われていない面を上向きにして排出するようさらに指示する、
前記［３］から［７］のいずれか１つに記載の印刷制御装置。
［９］前記複数のページ画像を前記複数の印刷媒体の両面に対応付けて印刷する場合に、
前記排出指示手段は、印刷が行われた前記複数の印刷媒体のおもて面とうら面とを反転して排出するよう指示する、
前記［１］から［７］のいずれか１つに記載の印刷制御装置。
［１０］前記複数のページ画像の数が奇数の場合に、前記複数のページ画像内の予め定められた位置に空白のページ画像を追加する追加手段をさらに備える、
前記［９］に記載の印刷制御装置。
［１１］前記追加手段は、前記第１の印刷指示手段又は前記第２の印刷指示手段により前記第１の順序で印刷が指示される場合に、前記最終のページ画像の後に前記空白のページ画像を挿入するとともに、前記第１の印刷指示手段又は前記第２の印刷指示手段により前記第２の順序で印刷が指示される場合に、前記先頭のページ画像の前に前記空白のページ画像を追加する、
前記［１０］に記載の印刷制御装置。
［１２］コンピュータを、
複数の印刷媒体に対して、複数のページ画像を、先頭のページ画像から最終のページ画像に向かう第１の順序、及び前記最終のページ画像から前記先頭のページ画像に向かう第２の順序のうちいずれか一方の順序で印刷する第１の印刷指示手段と、
前記複数の印刷媒体の面のうち印刷が行われた面を上向きにして印刷装置の排出先に排出するよう指示する排出指示手段と、
前記排出先に上向きに排出された状態で前記印刷装置の給紙先に給紙された前記複数の印刷媒体に、前記第１の順序及び第２の順序のうち他方の順序で前記複数のページ画像をさらに印刷するよう指示する第２の印刷指示手段、
として機能させるためのプログラム。
【発明の効果】
【０００７】
請求項１、１２に係る発明によれば、印刷がされて排出された用紙を再び給紙するときのユーザの操作が簡便になる。
請求項２に係る発明によれば、排出された用紙を排出された状態で用紙を給紙することで特定の色で下刷りが行われる。
請求項３に係る発明によれば、排出された用紙を排出された状態で用紙を給紙することでカラーによる印刷が行われる。
請求項４に係る発明によれば、切り替えの指示により下刷りが終了する。
請求項５に係る発明によれば、ユーザの操作により切り替えの指示が行われる。
請求項６に係る発明によれば、ユーザの操作により追い刷りの回数、排出面の方向が選択される。
請求項７に係る発明によれば、指定された最終の状態に応じて１回目の印刷の態様が決定される。
請求項８に係る発明によれば、印刷された用紙が印刷面を下向きにした状態で、先頭のページが下側に配置されるよう順番に排出される。
請求項９に係る発明によれば、両面印刷で追い刷りが行われる。
請求項１０に係る発明によれば、両面印刷において、原稿のページの数が奇数であってもページのズレを発生させずに追い刷りが行われる。
請求項１１に係る発明によれば、両面印刷において、原稿のページの数が奇数であってもページのズレを発生させずに下刷り及びカラー印刷がともに行われる。
【図面の簡単な説明】
【０００８】
【図１】図１は、本発明の実施の形態に係る印刷システムの構成及び制御系の一例を示すブロック図である。
【図２】図２は、給紙確認ダイアログの一例を示す図である。
【図３】図３は、追い刷りの一例を示す模式図である。
【図４】図４（ａ）〜（ｃ）は、追い刷りが行われたメディアを模式的に示す縦断面図である。
【図５】図５は、本動作の説明に用いる原稿及び下刷りの一例を示す図である。
【図６】図６（ａ）〜（ｄ）は、プリンタにおける下刷りの実行の一例を示す図である。
【図７】排出面の設定値がうら面の場合のカラーによる印刷の一例を示す図である。
【図８】排出面の設定値がおもて面の場合のカラーによる印刷の一例を示す図である。
【図９】図９は、図１に示す印刷システム１の動作の一例を示すフローチャートである。
【図１０】図１０は、変形例に係る追い刷りの一例を示す図である。
【図１１】図１１は、変形例に係る追い刷りの一例を示す図である。
【図１２】図１２は、原稿のページの数が偶数の場合の両面の追い刷りの一例を示す模式図である。
【図１３】図１３は、原稿のページの数が奇数の場合の両面の追い刷りの一例を示す模式図である。
【図１４】図１４は、ブランクに係るページ画像を追加せずに印刷を行った場合の例を示す図である。
【発明を実施するための形態】
【０００９】
以下、本発明の実施の形態について図面を参照して説明する。なお、各図中、実質的に同一の機能を有する構成要素については、同一の符号を付してその重複した説明を省略する。
【００１０】
［実施の形態の要約］
本実施の形態に係る印刷制御装置は、複数の印刷媒体に対して、複数のページ画像を、先頭のページ画像から最終のページ画像に向かう第１の順序、及び最終のページ画像から先頭のページ画像に向かう第２の順序のうちいずれか一方の順序で印刷する第１の印刷指示手段と、複数の印刷媒体の面のうち印刷が行われた面を上向きにして印刷装置の排出先に排出するよう指示する排出指示手段と、排出先に上向きに排出された状態で印刷装置の給紙先に給紙された複数の印刷媒体に、第１の順序及び第２の順序のうち他方の順序で複数のページ画像をさらに印刷するよう指示する第２の印刷指示手段と備える。
【００１１】
「排出先」には、例えば、印刷装置の排出トレイが該当する。「排出先に排出された状態」とは、排出トレイに排出されたときの印刷媒体の上下左右の配置の方向、おもて面及びうら面がそれぞれ向く方向、蓄積された順序等を変えないそのままの状態のことをいう。「給紙先」には、例えば、印刷装置の給紙トレイが該当する。
【００１２】
［実施の形態］
図１は、本発明の実施の形態に係る印刷システムの構成及び制御系の一例を示すブロック図である。この印刷システム１は、印刷制御装置２と、印刷制御装置２により制御されるプリンタ３と、ユーザの操作に応じて印刷制御装置２及びプリンタ３に指示を行う端末装置４とを有して構成されている。また、これら印刷制御装置２、プリンタ３及び端末装置４は、ネットワーク７を介して互いに接続されている。
【００１３】
印刷制御装置２は、例えば、ＤＦＥ（Digital Front End）等、プリンタ３を制御するプリントサーバ機能を有する装置である。プリンタ３は、印刷装置の一例である。
【００１４】
端末装置４には、例えば、パーソナルコンピュータや、タブレッド端末、多機能携帯電話機（スマートフォン）等の携帯情報端末を用いることができる。ネットワーク７は、例えば、ローカルエリアネットワーク（ＬＡＮ）、ワイドエリアネットワーク（ＷＡＮ）、インターネット、イントラネット等であり、有線でも無線でもよい。
【００１５】
（印刷制御装置２の構成）
印刷制御装置２は、各部を制御する制御部２０と、各種のデータを記憶する記憶部２１と、キーボード、マウス等で実現される入力部２２と、液晶ディスプレイ等で実現される表示部２３と、プリンタ３及び端末装置４との間でネットワーク７を介して通信するネットワーク通信部２４とを備える。
【００１６】
制御部２０は、ＣＰＵ（Central Processing Unit）、インターフェース等から構成されている。ＣＰＵは、記憶部２１に記憶されたプログラム２１０に従って動作することにより、受付手段２００、処理手段２０１、表示制御手段２０２、実行指令手段２０３等として機能する。実行指令手段２０３は、第１の印刷指示手段、第２の印刷指示手段及び排出指示手段の一例である。各手段２００〜２０３の詳細については後述する。
【００１７】
記憶部２１は、ＲＯＭ（Read Only Memory）、ＲＡＭ（Random Access Memory）、ハードディスク等から構成され、プログラム２１０、ジョブ情報２１１、用紙属性情報２１２、画面情報２１３（図２参照）等の各種データを記憶する。
【００１８】
ジョブ情報２１１は、後述する印刷ジョブに係る情報である。用紙属性情報２１２は、プリンタ３の給紙トレイ（不図示）で使用する印刷に供する用紙（以下、「印刷用紙」又は「メディア」ともいう。図３参照。）の材質や下地の色等の属性を示す情報であり、給紙トレイを識別する情報と関連付けて記憶されている。メディア５は、印刷媒体（印刷の対象となるデータが記録される対象物）の一例である。なお、本明細書において、特定の情報を更新する場合に「記録」を用い、記憶部２１に情報を書き込む場合に「記憶」を用いる。
【００１９】
次に、図２を参照して画面情報２１３について説明する。図２は、給紙確認ダイアログの一例を示す図である。給紙確認ダイアログ６は、ユーザに給紙の確認等を行う給紙確認画面の一例である。給紙確認ダイアログ６には、例えば、ユーザに給紙を促すメッセージ６１や、後述する特定の色による印刷からＣＭＹＫ等の複数の色による印刷への切り替えを指示する切替チェックボックス６２、印刷の再開を指示するプリント開始釦６３等が設けられている。切替チェックボックス６２は、切替指示手段の一例である。
【００２０】
ネットワーク通信部２４は、ＮＩＣ（Network Interface Card）等によって実現され、ネットワーク７を介してプリンタ３や端末装置４との間で信号を送受信する。
【００２１】
次に、制御部２０を構成する各手段２００〜２０３について説明する。受付手段２００は、端末装置４から送信される印刷の指示（以下、「印刷ジョブ」ともいう。）や、プリンタ３から送信される各種の情報を受け付ける。また、受付手段２００は、受け付けた印刷ジョブに係る情報を記憶部２１のジョブ情報に２１１に記録する。
【００２２】
印刷ジョブは、プリンタ３が解釈できるＰＤＦ（Portable Document Format)、ＰｏｓｔＳｃｒｉｐｔ（登録商標）等のページ記述言語（ＰＤＬ：Page Description Language）を用いてページの単位で記述された印刷の対象となるデータ（以下、「印刷データ」ともいう。）と、印刷を実行するための各種の条件（以下、「印刷条件」ともいう。）とを含んで構成される。
【００２３】
印刷条件は、メディア５の種類、サイズ等のメディア５の属性情報や、白黒印刷／カラー印刷、片面印刷／両面印刷、印刷部数等の印刷態様に係る条件（以下、「第１の印刷条件」ともいう。）と、後述する追い刷りの属性を示す情報等の追い刷りに係る条件（以下、「第２の印刷条件」ともいう。）とを含む。ここで、「第１の印刷条件」とは、当該印刷システム１で設定が可能な印刷条件のうち、追い刷りに係る第２の印刷条件を除く条件を総称したものをいう。
【００２４】
追い刷りの属性を示す情報は、例えば、追い刷りを行うか否かを示す情報（以下、「追い刷りモード」ともいう。）等を含んで構成される。追い刷りモードは、例えば、「ＯＮ」（追い刷りを行うモード）や「ＯＦＦ」（追い刷りを行わないモード）等の表現で表される。
【００２５】
処理手段２０１は、受付手段２００が受け付けた印刷ジョブに含まれる印刷データに対して、プリンタ３で印刷を実行するために必要な処理を行う。処理手段２０１は、例えば、ＰＤＬを解釈する処理、すなわち、ＰＤＬで記述された印刷データをラスターデータからなる画像データ（以下、「ラスター画像データ」ともいう。）に変換するＲＩＰ（Raster Image Processor）処理等を行う。
【００２６】
ラスター画像データは、１ドット（画素、pixel）単位の点の集まりで構成されたビットマップ形式の印刷用の画像（以下、「印刷画像」又は「ラスター画像」ともいう。）に係るデータをいう。ラスター画像は、例えば、ＪＰＥＧ（Joint Photographic Experts Group）、ＴＩＦＦ（Tag Image File Format）、ＧＩＦ（Graphics Interchange Format）、ＰＮＧ（Portable Network Graphics）等の出力形式で生成される。
【００２７】
また、ラスター画像は、プリンタ３の有彩色（以下、「カラー」）の記録材（例えば、Ｃ、Ｍ、Ｙ及びＫの４色の記録材）に対応するカラー版（例えば、Ｃ版、Ｍ版、Ｙ版及びＫ版、総称して「ＣＭＹＫ版」ともいう。）と、特定の色（例えば、白色やメタリック）に対応する特殊版と、印刷データに含まれる文字や図形などのオブジェクトを識別する識別情報を記録したタグ版とを含んで構成される。カラーは、複数の色の一例である。
【００２８】
表示制御手段２０２は、表示部２３に、上述した給紙確認ダイアログ６等の各種の画面を表示するよう制御する。なお、表示制御手段２０２は、端末装置４に画面を表示するよう指令する表示指令情報を端末装置４に送信して、端末装置４の表示画面（不図示）に画面を表示させてもよい。
【００２９】
実行指令手段２０３は、受付手段２００が受け付けた印刷ジョブに応じて、指定されたプリンタ３に印刷の実行を指令する。具体的には、実行指令手段２０３は、印刷の実行を指令する実行指令情報を設定して当該実行指令情報をネットワーク通信部２４によりネットワーク７を介して指定されたプリンタ３に送信することにより当該プリンタ３に印刷の実行を指令する。
【００３０】
実行指令情報には、例えば、第１の印刷条件と、処理手段２０１により生成されたラスター画像５０と、追い刷りの際に印刷が行われたメディア５をプリンタ３の排出トレイ（不図示）に排出するときにメディア５のおもて面及びうら面のうちいずれの面を上向きにして排出するかを示す情報（以下、単に「排出面」ともいう。）と、複数のページ画像を印刷する場合に最終のページから先頭のページに向かって印刷を行うか否かを示す情報（以下、「最終ページから印刷」ともいう。）とが含まれる。なお、片面印刷場合、おもて面は、印刷がされた面の一例であり、うら面は、印刷がされていない面の一例である。
【００３１】
なお、特定の色による印刷を指令する場合に、ラスター画像５０として特殊版のみを実行指令情報に含めるとともに、カラーによる印刷を指令する場合に、ラスター画像５０としてＣＭＹＫ版のみを実行指令情報に含めてもよい。
【００３２】
また、「最終ページから印刷」には、例えば、「ＯＮ」や「ＯＦＦ」等の択一的な情報が設定値として付与される。具体的には、「最終ページから印刷」の設定値が「ＯＮ」の場合、最終のページから先頭のページに向かって印刷を実行するよう指令され、「最終ページから印刷」の設定値が「ＯＦＦ」の場合、先頭のページ画像から最終のページ画像に向かって印刷を実行するよう指令される。
【００３３】
「ＯＮ」、すなわち、最終のページから先頭のページに向かう順序は、第２の順序の一例である。また、「ＯＦＦ」、すなわち、先頭のページから最終のページに向かう順序は、第１の順序の一例である。なお、第２の順序で行う印刷を「Ｎｔｏ１印刷」ともいい、第１の順序で行う印刷を「１ｔｏＮ印刷」ともいう。
【００３４】
（追い刷り）
次に、追い刷りについて図３及び図４を参照して説明する。図３は、追い刷りの一例を示す模式図である。追い刷りとは、特定の色のみによる印刷を１回以上行った後に、カラーによる印刷を行うことをいう。「特定の色」は、例えば、メディア５の下地の色に応じて定めてもよい。図３各図に示すように、例えば、メディア５の下地が黒色の場合、特定の色として白色（一色）を用いてもよい。メディア５は、例えば、紙で形成された媒体である。なお、図３各図に示すメディア５の下地は黒色であるが、説明の便宜上、メディア５の縁部のみを黒で描いている。以下同様とする。
【００３５】
図３各図の左列は、ラスター画像５０の一例を示し、中列は、給紙するメディア５Ａの一例を示し、右列は、印刷が行われて排出されるメディア５Ｂの一例を示している。図３（ａ）及び図３（ｂ）に示すように、まず、１回目から（Ｎ−１）回目に亘って、ラスター画像５０のうち特殊版５０Ａに対応する白色の記録材のみを用いた白色による印刷（以下、「下刷り」ともいう。）を行う。Ｎは、２以上の整数であり、例えば、ユーザにより設定できるようにしてもよい。下刷りは、第１の印刷の一例である。
【００３６】
なお、１回の下刷りで使用される白色の記録材の量は、適宜調整可能であり、例えば、当該印刷システム１に応じて許可されている最大の量に設定してもよい。
【００３７】
なお、Ｎが３以上の場合、（Ｎ−Ｋ）回目に印刷が行われるメディア５Ａは、直前の（Ｎ−Ｋ−１）回目に排出されたメディア５Ｂである。Ｋは、自然数である。このようにして、白色の記録材のみを用いる下刷りを（Ｎ−１）回繰り返して行う。
【００３８】
次に、図３（ｃ）に示すように、Ｎ回目に、（Ｎ−１）回目に排出された白色の記録材を用いる白色による印刷が（Ｎ−１）回されたメディア５Ｂに対して、ＣＭＹＫ版５０Ｂに対応するＣＭＹＫの記録材を用いるカラーによる印刷を行う。カラーによる印刷は、第２の印刷の一例である。
【００３９】
このようにして、１回目の印刷から（Ｎ−１）回目の印刷にかけて順に排出されるメディア５Ｂに印刷された白色の色合いが強くなる（図３（ａ）及び（ｂ）参照）。また、図３（ｃ）に示すように、Ｎ回目には、（Ｎ−１）回目に排出されたメディア５Ｂの白色が印刷された領域にカラーが付される。
【００４０】
図４は、追い刷りが行われたメディア５を模式的に示す縦断面図であり、図４（ａ）〜（ｃ）は、それぞれ図３（ａ）〜（ｃ）の右列の図に対応する。なお、図４で図示した各記録材層５１ａ，５１ｂ，５１ｗ，５２の厚み及びメディア５の厚みの寸法比は、必ずしも実際の寸法比と一致するものではない。また、説明の便宜上、各記録材層５１ａ，５１ｂ，５１ｗ，５２をメディア５の横方向における領域の全体に亘って描いたが、実際は、メディア５における印刷が行われた領域（例えば、印字の位置や印刷される図の位置）のみに積層されている。
【００４１】
図４（ａ）〜（ｃ）に順に示すように、印刷が行われた回数に応じてメディア５上に順に第１の白色記録材層５１ａ、第２の白色記録材層５１ｂ、・・第（Ｎ−１）の白色記録材層５１ｗ（Ｎは、自然数）、及びＣＭＹＫ記録材層５２が積層される。なお、ＣＭＹＫ記録材層５２を構成する各層（Ｃ層５２Ｃ、Ｍ層５２Ｍ、Ｙ層５２Ｙ及びＫ層５２Ｋ）の順序は、図４（ｃ）に示す順序に限定されるものではない。
【００４２】
（実施の形態の動作）
次に、印刷システム１の動作の一例について図５、図６、図７、図８及び図９を参照して説明する。図５は、本動作の説明に用いる原稿及び下刷りの一例を示す図である。メディア５は、黒色の下地を有している。なお、説明の便宜上、メディア５の縁部のみを黒色とし、面は、黒よりも薄い色（灰色）で示した。
【００４３】
また、原稿５００は、図５（ａ）に示すように、Ｍ個のページ画像５００ａ〜ｍを含んで構成されている。Ｍは、自然数である。なお、先頭のページ画像５００ａから最終のページ画像５００ｍの順に５００ｂ，５００ｃ，・・の符号を付した。
【００４４】
また、各ページ画像５００ａ〜ｍは、カラーの写真５０１ａ〜ｍ及びカラーの文字５０２ａ〜ｍを含んで構成されている。なお、この例では、各ページ画像５００ａ〜ｍ間で同一の写真５０１ａ〜ｍを用いたが、異なる写真でもよい。また、文字や写真以外に、図形や表を含んでもよい。文字には、数字が含まれる。
【００４５】
図５（ｂ）に示すように、複数の枚数のメディア５ａ〜ｍに対してそれぞれ、原稿５００の各ページ画像５００ａ〜ｍに対応したラスター画像５０の特殊版５０Ａに応じて、写真５０１ａ〜ｍの領域及び文字５０２ａ〜ｍの領域に白色の記録材を用いる下刷りを行う。以下、一例として、下刷りを（Ｎ−１）回繰り返して行った後に、Ｎ回目にＣＭＹＫの記録材を用いるカラーによる印刷を行うＮ回からなる追い刷りを例に挙げて説明する。
【００４６】
図９は、図１に示す印刷システム１の動作の一例を示すフローチャートである。なお、以下の説明では、印刷システム１の動作のうち特に印刷制御装置２に係る動作の一部に対して「Ｓ」と数字とからなるステップ番号を付して、図９のフローチャートに記載することとする。
【００４７】
（１）印刷ジョブ受け付け
まず、受付手段２００は、ユーザの操作により端末装置４から送信される印刷ジョブを受け付ける（Ｓ１）。また、受付手段２００は、印刷ジョブを記憶部２１のジョブ情報２１１に記録する。なお、印刷ジョブは、プリンタ３の操作部（不図示）を操作することにより生成するようにしてもよい。
【００４８】
印刷ジョブに含まれる第２の印刷条件としての追い刷りモードが「ＯＮ」に設定されている場合（Ｓ２：ＯＮ）、実行指令手段２０３は、排出面を「おもて面」に設定するとともに、「最終ページから印刷」の設定値を「ＯＮ」に設定する（Ｓ３）。
【００４９】
（２）下刷りの実行
次に、実行指令手段２０３は、プリンタ３に、上述の設定に応じた下刷りを実行するよう指令する（Ｓ４）。プリンタ３は、実行指令手段２０３による指令に応じて下刷りを実行する。
【００５０】
図６（ａ）〜（ｄ）は、プリンタ３における下刷りの実行の一例を示す図である。図６各図の左列は、給紙トレイに給紙されたメディア５Ａの一例を示し、右列は、当該メディア５Ａに印刷が行われた後に排出トレイに排出されたメディア５Ｂの一例を示す。
【００５１】
図６（ａ）に示すように、プリンタ３は、まず、メディア５に対して最終のページ画像５００ｍから先頭のページ画像５００ａに向かって順に下刷りするＭｔｏ１印刷を行う。また、プリンタ３は、下刷りが行われたメディア５Ｂを、おもて面を上向き（図示上向き）にして排出トレイに排出する。
【００５２】
下刷りが行われたメディア５Ｂは、下刷りが行われた順序に対応する順序で排出される。すなわち、最終のページ画像５００ｍが下刷りされたＭ枚目のメディア５ｍから先頭のページ画像５００ａが下刷りされた１枚目のメディア５ａの順に排出される。換言すれば、図６（ａ）の右列に示すように、Ｍ枚目のメディア５ｍの上に、（Ｍ−１）枚目、・・１枚目のメディア５ａが順に蓄積される。
【００５３】
プリンタ３は、印刷が完了すると、印刷が完了したことを示す結果情報を印刷制御装置２に送信する。受付手段２００が結果情報を受け付けると、表示制御手段２０２は、表示部２３に給紙確認ダイアログ６を表示するよう制御する（Ｓ５）。
【００５４】
下刷りに係る上記ステップＳ４及びＳ５は、給紙確認ダイアログ６からカラーによる印刷への切り替えが指示されるまで（Ｓ６：Ｎｏ）、繰り返して行われる。
【００５５】
下刷りを繰り返して行う場合、実行指令手段２０３は、下刷りを行うごとに、「最終ページから印刷」の設定値を現在設定されている「ＯＮ」及び「ＯＦＦ」のうちの一方の値から他方の値に切り替える。すなわち、実行指令手段２０３は、「最終ページから印刷」の設定値を反転させる（Ｓ７）。
【００５６】
具体的には、実行指令手段２０３は、「最終ページから印刷」の現在の設定値が「ＯＮ」のときは「ＯＦＦ」に切り替え、現在の設定値が「ＯＦＦ」のときは「ＯＮ」に切り替える。
【００５７】
ユーザは、プリンタ３の排出トレイに排出されたメディア５Ｂを、排出された状態のままで給紙トレイに再セット（再配置）する。「排出された状態のまま」とは、メディア５Ｂの上下左右の配置の方向、おもて面及びうら面の方向、蓄積された順序等を変えないことをいう。
【００５８】
具体的には、２回目の下刷りの場合、図６（ｂ）に示すように、１回目の下刷りで排出されたメディア５Ｂを排出された状態のまま（図６（ａ）右列参照）、給紙トレイに配置する（図６（ｂ）左列及び矢印参照）。
【００５９】
また、２回目の下刷りでは、「最終ページから印刷」の設定値は、上述したように１回目の下刷りにおける設定値の「ＯＮ」から「ＯＦＦ」に切り替えられている。このため、図６（ｂ）に示すように、２回目の下刷りでは、プリンタ３は、再セットされたメディア５Ａに対して先頭のページ画像５００ａから最終のページ画像５００ｍに向かって順に下刷りする１ｔｏＭ印刷を行う。
【００６０】
また、プリンタ３は、２回目の下刷りが行われたメディア５Ｂを、おもて面を上向き（図示上向き）にして排出トレイに排出する（図６（ｂ）右列参照）。
【００６１】
２回目の下刷りが行われたメディア５Ｂは、２回目の下刷りが行われたた順序に対応する順序で排出される。すなわち、最初のページ画像５００ａが下刷りされた１枚目のメディア５ａから最終のページ画像５００ｍが下刷りされたＭ枚目のメディア５ｍの順に排出される。換言すれば、図６（ｂ）の右列に示すように、１枚目のメディア５ａの上に、２枚目、・・Ｍ枚目のメディア５ｍが順に蓄積される。
【００６２】
説明の詳細は省略するが、同様に、図６（ｃ）及び（ｄ）に示すように、３回目、４回目以降の下刷りが行われる。以上の説明から理解されるように、下刷りした印刷結果が上向きで排出トレイに排出されるようにしているため、ユーザは下刷りの具合を目視確認することができる。そして、下刷りを終了してよいかどうかのユーザ判断が容易になっている。
【００６３】
（３）カラーによる印刷の実行
給紙確認ダイアログ６からカラーによる印刷への切り替えが指示された場合（Ｓ６：Ｙｅｓ）、実行指令手段２０３は、直前の印刷（下刷り）における「最終ページから印刷」の設定値に応じて、プリンタ３にカラーによる印刷の実行を指令する。
【００６４】
具体的には、直前の印刷（下刷り）における「最終ページから印刷」の設定値が「ＯＮ」の場合（Ｓ８：ＯＮ）、実行指令手段２０３は、「排出面」の設定値をうら面に切り替える（Ｓ９）。
【００６５】
なお、直前の印刷（下刷り）における「最終ページから印刷」の設定値が「ＯＮ」の場合とは、換言すれば、下刷りの回数（Ｎ−１）が奇数の場合に相当する。
【００６６】
直前の印刷（下刷り）における「最終ページから印刷」の設定値が「ＯＦＦ」の場合（Ｓ８：ＯＦＦ）、実行指令手段２０３は、「排出面」の設定値の切り替えは行わず、「おもて面」のままとする。
【００６７】
なお、直前の印刷（下刷り）における「最終ページから印刷」の設定値が「ＯＦＦ」の場合とは、換言すれば、下刷りの回数（Ｎ−１）が偶数の場合に相当する。
【００６８】
次に、実行指令手段２０３は、「最終ページから印刷」の設定値を反転させる（Ｓ１０）。すなわち、実行指令手段２０３は、「最終ページから印刷」の設定値を「ＯＮ」から「ＯＦＦ」、あるいは「ＯＦＦ」から「ＯＮ」に切り替える。
【００６９】
次に、実行指令手段２０３は、プリンタ３に、上述の設定に応じたカラーによる印刷を実行するよう指令する（Ｓ１１）。プリンタ３は、実行指令手段２０３による指令に応じて印刷を実行する。
【００７０】
（i）直前の下刷りにおける「最終ページから印刷」の設定値が「ＯＮ」の場合
図７は、「排出面」の設定値がうら面の場合のカラーによる印刷の一例を示す図である。直前の下刷りにおける「最終ページから印刷」の設定値が「ＯＮ」の場合（Ｓ８：ＯＮ）、排出されたメディア５Ｂは、下側からＭ枚目、（Ｍ−１）枚目、・・１枚目の順に並んでいる（図６（ａ）又は図６（ｃ）参照）。この場合、図７の左列に示すように、給紙トレイには、メディア５Ａが下側からＭ枚目、（Ｍ−１）枚目、・・１枚目の順に再セットされる。
【００７１】
また、プリンタ３は、切り替え後の設定値に応じて印刷を実行する。すなわち、プリンタ３は、「最終ページから印刷」の設定値が「ＯＦＦ」及び「排出面」の設定値がうら面の条件でカラーによる印刷を実行する。
【００７２】
具体的には、図７の左列に示す状態で配置されたメディア５Ａに対して、先頭のページ画像５００ａから最終のページ画像５００ｍに向かって順にカラーによる印刷が行われる（すなわち、「１ｔｏＭ印刷」）。
【００７３】
また、プリンタ３は、カラーによる印刷が行われたメディア５Ｂを、うら面を上向き（図示上向き）にして排出トレイに排出する。この結果、図７の右列に示すように、１枚目のメディア５ａの上に、２枚目のメディア５ｂ、・・Ｍ枚目のメディア５ｍが順にうら面を上向き（すなわち、おもて面を下向き）にして蓄積される。
【００７４】
このようにすれば、メディア５Ｂは、印刷がされた面を下向き（図７右列の図示下向き）にして、下側から上側に向かって先頭のページから最終のページの順に排出される。
【００７５】
（ii）直前の下刷りにおける「最終ページから印刷」の設定値が「ＯＦＦ」の場合
図８は、「排出面」の設定値がおもて面の場合のカラーによる印刷の一例を示す図である。直前の下刷りにおける「最終ページから印刷」の設定値が「ＯＦＦ」の場合（Ｓ８：ＯＦＦ）、排出されたメディア５Ｂは、下側から１枚目、２枚目、・・Ｍ枚目の順に並んでいる（図６（ｂ）又は図６（ｄ）参照）。この場合、図８の左列に示すように、給紙トレイには、メディア５Ａが下側から１枚目、２枚目、・・Ｍ枚目の順に再セットされる。
【００７６】
また、プリンタ３は、「最終ページから印刷」の設定値が「ＯＮ」及び「排出面」の設定値がおもて面の条件でカラーによる印刷を実行する。
【００７７】
具体的には、図８の左列に示す状態で配置されたメディア５Ａに対して、最終のページ画像５００ｍから先頭のページ画像５００ａに向かって順にカラーによる印刷が行われる（すなわち、「Ｍｔｏ１印刷」）。
【００７８】
また、プリンタ３は、カラーによる印刷が行われたメディア５Ｂを、おもて面を上向き（図示上向き）にして排出トレイに排出する。この結果、図８の右列に示すように、Ｍ枚目のメディア５ｍの上に、（Ｍ−１）枚目のメディア５（ｍ−１）、・・１枚目のメディア５ａが順におもて面を上向きにして蓄積される。
【００７９】
このようにすれば、メディア５Ｂは、印刷がされた面を上向き（図７右列の図示上向き）にして、上側から下側に向かって先頭のページから最終のページの順に排出される。
【００８０】
（４）追い刷りしない場合
追い刷りモードが「ＯＦＦ」に設定されている場合（Ｓ２：ＯＦＦ）、追い刷りは行わない。この場合、実行指令手段２０３は、プリンタ３に対して通常の印刷を行うよう指令する（Ｓ１２）。「通常の印刷」とは、１回の動作で、白色の記録材及びＣＭＹＫの記録材を用いて行う印刷をいう。
【００８１】
＜変形例１＞
上述の実施の形態では、追い刷りの回数を予め設定せずに、ステップＳ５において給紙確認ダイアログ６を表示して、下刷りからカラーによる印刷に切り替えるか否かについて下刷りを行うごとにユーザに問い合わせるようにしたが、追い刷りの回数を予め設定してもよい。追い刷りの回数を予め設定する方法は、例えば、予めどの程度の下刷りを行えばよいかの情報が得られている場合に特に有効である。
【００８２】
追い刷りの回数は、予めユーザにより設定してもよい。追い刷りの回数を示す数情報は、例えば、印刷ジョブに含めてもよい。追い刷りの回数を示す数情報を記憶部２１に記憶する受付手段２００は、第１の設定手段の一例である。
【００８３】
また、第２の印刷条件には、上述の追い刷りモード及び数情報に加えて、さらに、下刷り及びカラーによる印刷が終了したメディア５の最終の排出の状態（以下、単に「最終状態」ともいう。）を指定できるようにしてもよい。具体的には、最終状態に係る「排出面」及び「最終ページから印刷」の設定値を予めユーザにより設定できるようにしてもよい。これら指定値を記憶部２１に記憶する受付手段２００は、第２の設定手段の一例である。
【００８４】
実行指令手段２０３は、指定された追い刷りの回数、最終状態に係る「排出面」及び「最終ページから印刷」の設定値に応じて、１回目の下刷りに係る「最終ページから印刷」の設定値、及びＮ回目のカラーによる印刷に係る「排出面」の設定値を設定する。
【００８５】
なお、プリンタ３の記録部の構成によっては、下刷りとカラーによる印刷を同時に（１回で）行うことができるものがある。以下の説明では、カラーの印刷を行う際に合わせて最終の下刷りを行うことができるものとする。
【００８６】
例えば、実行指令手段２０３は、追い刷りの回数が奇数回に指定され、最終状態に係る「排出面」の設定値が「おもて面」及び「最終ページから印刷」の設定値が「ＯＮ」に設定されているとき、１回目の「最終ページから印刷」の設定値を「ＯＮ」に設定するとともに、Ｎ回目のカラーによる印刷に係る「排出面」の設定値を「おもて面」に設定する。
【００８７】
図１０は、変形例に係る追い刷りの一例を示す図である。図１０では、追い刷りの回数が奇数回に指定された場合一例として、「３回」の場合を例に挙げて説明する。図１０に示すように、最終状態としておもて面を上向きにして下側からＭ枚目、（Ｍ−１）枚目、・・１枚目の順にメディア５Ｂを排出するために、１回目の下刷りにおいて「最終ページから印刷」の設定値を「ＯＮ」にして印刷を行う。
【００８８】
また、下刷りを行うごとに、「最終ページから印刷」の設定値を「ＯＮ」−「ＯＦＦ」間で切り替える。なお、最終の３回目の下刷りとカラーによる印刷は、「排出面」の設定値を指定された「おもて面」のまま行う。
【００８９】
また、例えば、別の例として、実行指令手段２０３は、追い刷りの回数が奇数回に指定され、最終状態に係る「排出面」の設定値が「うら面」及び「最終ページから印刷」の設定値が「ＯＮ」に設定されているとき、１回目の「最終ページから印刷」の設定値を「ＯＮ」に設定するとともに、Ｎ回目のカラーによる印刷に係る「排出面」の設定値を「うら面」に変更する。
【００９０】
図１１は、変形例に係る追い刷りの一例を示す図である。図１１では、追い刷りの回数が奇数回に指定された場合一例として、図１０と同様に「３回」の場合を例に挙げて説明する。図１１に示すように、最終状態としてうら面を上向きにして下側からＭ枚目、（Ｍ−１）枚目、・・１枚目の順にメディア５Ｂを排出するために、１回目の下刷りにおいて「最終ページから印刷」の設定値を「ＯＮ」にして印刷を行う。
【００９１】
また、下刷りを行うごとに、「最終ページから印刷」の設定値を「ＯＮ」−「ＯＦＦ」間で切り替える。また、最終の３回目の下刷りとカラーによる印刷は、「排出面」の設定値を指定された「うら面」に変更して行う。
【００９２】
また、特に図示はしないが、図１０及び図１１と同様に、その他の条件での印刷も可能である。以下の表１に、指定された最終状態及び追い刷りの回数と、これら指定に応じて実行指令手段２０３によって設定される１回目の下刷りに係る「最終ページから印刷」の設定値及びカラーによる印刷に係る「排出面」の設定値との組み合わせを示す。
【００９３】
【表１】
2019217659.tif 000003
【００９４】
＜変形例２＞
上述の実施の形態では、メディア５の片面のみに追い刷りを行う例を示したが、メディア５の両面に追い刷りを行ってもよい。
【００９５】
メディア５の両面に追い刷りを行う場合、追い刷りの回数に依らず、実行指令手段２０３は、「排出面」の設定値を一律に「うら面」に設定する。また、実行指令手段２０３は、原稿５００のページの数が奇数の場合、最終のページの次のページに白紙のページ（以下、「ブランク」ともいう。）を追加して印刷の実行を指令する。換言すれば、実行指令手段２０３は、原稿５００のページの数が奇数の場合、ブランクを１つ追加して原稿５００のページの数を偶数にして印刷の実行を指令する。実行指令手段２０３は、追加手段の一例である。以下、原稿５００のページ画像の個数（すなわち、原稿５００のページの数）が偶数の場合と、奇数の場合とに分けて詳細を説明する。
【００９６】
（１）原稿５００のページの数が偶数の場合
図１２は、原稿５００のページの数が偶数の場合の両面の追い刷りの一例を示す模式図である。以下、原稿５００が６ページで構成されている場合を例に挙げて説明する。図１２は、上段から下段に向かって１回目からＮ回目の追い刷りを模式的に示している。
【００９７】
また、図１２の四角形は、各回の追い刷りにおいて排出されるメディア５Ｂを模式的に示している。四角形内の数字は、メディア５Ｂに印刷されたページ画像５００ａ〜ｆのページの番号を示している。
【００９８】
四角形は２つで一組のセットとなっており、一組の四角形が一枚のメディア５Ｂを示す。また、一組のセットを構成する各四角形は、それぞれ、一枚のメディア５Ｂのおもて面及びうら面うちいずれかの面を示す。四角形の下側に記した文字は、当該四角形がどちらの面かを示す情報である。
【００９９】
１組の四角形のうち左側に、排出されるときに上向きになる面を配置し、右側に、排出されるときに上向きなる面を配置した。なお、両面印刷においておもて面とは、例えば、ページの番号の小さい方をいうが、この逆でもよい。
【０１００】
図１２に示すように、「排出面」は、追い刷りの回数に依らず「うら面」に設定されている。また、下刷りを行うごとに、「最終ページから印刷」の設定値を「ＯＮ」−「ＯＦＦ」間で切り替える。このようにして追い刷りを行うことにより、同一のメディア５の同一の面に、同一のページ画像が繰り返して印刷される。
【０１０１】
（２）原稿５００のページの数が奇数の場合
図１３は、原稿５００のページの数が奇数の場合の両面の追い刷りの一例を示す模式図である。以下、原稿５００が５ページで構成される場合を例に挙げて説明する。なお、図１３中の表記は、図１２に示す表記と同様である。
【０１０２】
図１３に示すように、「排出面」は、追い刷りの回数に依らず「うら面」に設定されている。また、下刷りを行うごとに、「最終ページから印刷」の設定値を「ＯＮ」−「ＯＦＦ」間で切り替える。
【０１０３】
また、最終のページ画像５００ｅの次にブランクに係るページ画像５００ｚを追加して、ページ画像の数を偶数にして印刷を行う。
【０１０４】
図１４は、ブランクに係るページ画像５００ｚを追加せずに印刷を行った場合の例を示す図である。図１４内の「ｘ」印は、ページ画像が無いことを示している。ブランクを追加せずに印刷を行うと、図１４に示すように、同一のメディア５の同一の面に、異なるページ画像が印刷される。すなわち、ページのズレが生じてしまう。図１３に示すように、ブランクに係るページ画像５００ｚを追加することにより、ページがずれることなく、同一のメディア５の同一の面に、同一のページ画像が印刷される。
【０１０５】
なお、両面に追い刷りを行う場合は、１回目の「最終ページから印刷」の設定値は、「ＯＦＦ」でもよく「ＯＮ」でもよい。
【０１０６】
以上、本発明の実施の形態を説明したが、本発明の実施の形態は上記実施の形態に限定されるものではなく、本発明の要旨を変更しない範囲内で種々の変形、実施が可能である。例えば、端末装置４は必ずしも設ける必要はなく、端末装置４の機能をプリンタ３（例えば、複合機）に設け、プリンタ３の操作表示部（不図示）に対するユーザ操作に応じて上述の処理を実行するようにしてもよい。また、印刷制御装置２とプリンタ３とを別々に設けずに、両者の機能を一体化して１つの装置としてもよい。
【０１０７】
また、カラーの印刷を行う際に合わせて最終の下刷りを行う形態に限定されるものではなく、例えば、カラー印刷と下刷りとを分けて実施してもよい。この場合、印刷は、追い刷りの回数（下刷りの回数）＋１回実施される。
【０１０８】
制御部２０の各手段は、それぞれ一部又は全部を再構成可能回路（ＦＰＧＡ：Field Programmable Gate Array）、特定用途向け集積回路（ＡＳＩＣ：Application Specific Integrated Circuit）等のハードウエア回路によって構成してもよい。
【０１０９】
また、本発明の要旨を変更しない範囲内で、上記実施の形態の構成要素の一部を省くことや変更することが可能である。また、本発明の要旨を変更しない範囲内で、上記実施の形態のフローにおいて、ステップの追加、削除、変更、入替え等が可能である。また、上記実施の形態で用いたプログラムをＣＤ−ＲＯＭ等のコンピュータで読み取り可能な記録媒体に記録して提供することができ、クラウドサーバ等の外部サーバに格納しておき、ネットワークを介して利用することもできる。
【符号の説明】
【０１１０】
１  印刷システム
２  印刷制御装置
２０  制御部
２００  受付手段
２０１  処理手段
２０２  表示制御手段
２０３  実行指令手段
２１  記憶部
２１０  プログラム
２１１  ジョブ情報
２１２  用紙属性情報
２１３  画面情報
２２  入力部
２３  表示部
２４  ネットワーク通信部
３  プリンタ
４  端末装置
５，５Ａ，５Ｂ，５ａ〜ｍ  メディア
５Ａ  給紙されたメディア
５Ｂ  排出されたメディア
５ａ  １枚目のメディア
５ｍ  Ｍ枚目のメディア
５０  ラスター画像
５０Ａ  特殊版
５０Ｂ  ＣＭＹＫ版
５００  原稿
５００ａ〜ｍ  ページ画像
５００ａ  先頭のページ画像
５００ｅ，５００ｆ，５００ｍ  最終のページ画像
５００ｚ  ブランクに係るページ画像
５０１ａ〜ｍ  写真
５０２ａ〜ｍ  文字
５１  白色の記録材
５１ａ  第１の白色記録材層
５１ｂ  第２の白色記録材層
５１ｃ  第３の白色記録材層
５１ｄ  第４の白色記録材層
５１ｗ  第（Ｎ−１）の白色記録材層
５２  ＣＭＹＫ記録材層
５２Ｃ  Ｃ層
５２Ｍ  Ｍ層
５２Ｙ  Ｙ層
５２Ｋ  Ｋ層
６  給紙確認ダイアログ
６１  メッセージ
６２  切替チェックボックス
６３  プリント開始釦
７  ネットワーク
【図１】
2019217659.tif 000004
【図２】
2019217659.tif 000005
【図３】
2019217659.tif 000006
【図４】
2019217659.tif 000007
【図５】
2019217659.tif 000008
【図６】
2019217659.tif 000009
【図７】
2019217659.tif 000010
【図８】
2019217659.tif 000011
【図９】
2019217659.tif 000012
【図１０】
2019217659.tif 000013
【図１１】
2019217659.tif 000014
【図１２】
2019217659.tif 000015
【図１３】
2019217659.tif 000016
【図１４】
2019217659.tif 000017